(57)【特許請求の範囲】
【請求項１】
後述する手段、すなわち、
伝送すべきデータに依存して振幅変調された振幅変調キャリア信号を受けて供給するようにされている受信手段と、
受けた振幅変調キャリア信号を整流するためにその信号を入力することができ、受けた振幅変調キャリア信号に対応する直流供給電圧を発生するようにされている整流器手段と、
整流器手段の支援により発生された直流供給電圧を第１の制限値に制限するようにされている電圧制限手段と、
受けた振幅変調キャリア信号を復調するためにその信号を入力することができ、伝送すべきデータを表すデータ信号を供給するようにされている振幅復調手段と、
直流供給電圧を受けるために配置されている電力供給入力を有するデータ処理手段とを備えるデータキャリアにおいて、
直流供給電圧をその第１の制限値に制限する制限作用に関して、電圧制限手段は、制御信号により制御可能とされ、更に、受けられた振幅変調されたキャリア信号における振幅の変化に対して、ある遅延をもって応答し、
かつ、また、電圧制限手段は、整流器手段の支援により発生された直流供給電圧を第２の制限値に制限するようにされ、直流供給電圧をその第２の制限値に制限する電圧制限手段の制限作用は、受けられた振幅変調されたキャリア信号における振幅変化に対して、電圧制限手段が遅延なしに応答するようなものであり、
電圧制限手段により達成できる第２の制限値は、電圧制限手段により達成できる第１の制限値より高いことを特徴とするデータキャリア。
【請求項２】
請求の範囲１記載のデータキャリアであって、キャリア信号に対応する第１の制御信号を発生して、それを供給するようにされている第１の制御信号発生手段が設けられ、
第１の制御信号を遅延させるためにその信号を受けるように配置され、第１の制御信号発生手段の後段に配置されて、電圧制限手段が後段に続く遅延手段と、
直流供給電圧をその第１の制限値に制限するそれらの制限手段の制限作用に関して、電圧制限手段は、遅延手段により供給された遅延させられた第１の制御信号に依存するキャリア信号の振幅変化に対して、ある遅延をもって応答することを特徴とするデータキャリア。
【請求項３】
請求の範囲２記載のデータキャリアであって、直流供給電圧をその第１の制限値に制限する電圧制限手段は、抵抗値が第１の制御信号に依存して可変である１つの電子回路素子を含み、
１つの回路素子の抵抗値を制御するために、第１の制御信号発生手段により供給されて、遅延手段により遅延させられる第１の制御信号を１つの回路素子に入力させることができることを特徴とするデータキャリア。
【請求項４】
請求の範囲３記載のデータキャリアであって、１つの回路素子は、ＦＥＴにより構成されることを特徴とするデータキャリア。
【請求項５】
請求の範囲２記載のデータキャリアであって、直流供給電圧をその第１の制限値に制限する電圧制限手段は、電流吸収段を含み、その吸収電流がそれに入力された第１の制御信号に依存して可変であり、
電流吸収段の吸収電流を制御するために、第１の制御信号発生手段により供給されて、遅延手段により遅延させられる第１の制御信号を電流吸収段に入力させることができることを特徴とするデータキャリア。
【請求項６】
請求の範囲５記載のデータキャリアであって、電流吸収段は、ＦＥＴにより構成されることを特徴とするデータキャリア。
【請求項７】
請求の範囲２記載のデータキャリアであって、キャリア信号に対応する第２の制御信号を発生して、それを供給するようにされている第２の制御信号発生手段が設けられ、
第２の制御信号発生手段により発生されて供給される第２の制御信号を遅延なしに電圧制限手段に入力させることができ、
第２の制御信号発生手段により供給される第２の制御信号に依存して、直流供給電圧をその第２の制限値に制限するそれらの制限手段の制限作用に関して、電圧制限手段は、遅延なしでキャリア信号に応答することを特徴とするデータキャリア。
【請求項８】
請求の範囲７記載のデータキャリアであって、電圧制限手段は、直流供給電圧をその第２の制限値に制限するためのものとして第２の電子回路素子を含み、その第２の電子回路素子は、この素子に入力される第２の制御信号に依存して可変である抵抗値を有し、
第２の電子回路素子の抵抗値を制御するために、第２の制御信号発生手段により供給された第２の制御信号を第２の電子回路素子に入力させることを特徴とするデータキャリア。
【請求項９】
請求の範囲８記載のデータキャリアであって、第２の電子回路素子は、ＦＥＴにより構成されることを特徴とするデータキャリア。
【請求項１０】
請求の範囲３記載のデータキャリアであって、キャリア信号に対応する第２の制御信号を発生して、それを供給するようにされている第２の制御信号発生手段が設けられ、
直流供給電圧をその第２の制限値に制限するために１つの回路素子の可変抵抗値を、それに入力された第２の制御信号に依存して変化でき、
１つの回路素子の抵抗値を制御するために、第２の制御信号発生手段により供給される第２の制御信号を回路素子に入力させることができ、その結果、１つの回路素子の抵抗値は、第１の制御信号と第２の制御信号とに依存して変化できることを特徴とするデータキャリア。
【請求項１１】
請求の範囲１０記載のデータキャリアであって、第１の制御信号発生手段と第２の制御信号発生手段とが整流器手段の後段に配置され、したがって、整流されたキャリア信号に対応する制御信号を発生し、かつ１つの回路素子の抵抗値を制御するためにそれらの信号をこの素子に供給することを特徴とするデータキャリア。
【請求項１２】
請求の範囲１１記載のデータキャリアであって、入力側が受信手段に接続され、出力側が１つの回路素子に接続されている追加の整流器手段が設けられ、
整流器手段の支援により発生された直流供給電圧を制限するために、受信手段により整流器手段に入力されるキャリア信号の振幅を、追加の整流器手段を介した１つの回路素子の抵抗値変化により、１つの回路素子によって制御できることを特徴とするデータキャリア。
【請求項１３】
請求の範囲１１記載のデータキャリアであって、第１の制御信号発生手段と第２の制御信号発生手段とが後段に続く整流器手段は、１つのブリッジ整流器により構成されることを特徴とするデータキャリア。
【請求項１４】
請求の範囲１記載のデータキャリアであって、直流供給電圧をその第２の制限値に制限するためのツェナーダイオードを含むことを特徴とするデータキャリア。
【請求項１５】
後述する手段、すなわち、
伝送すべきデータに依存して振幅変調され、受けられた振幅変調キャリア信号を整流するために入力することができ、かつ受けた振幅変調キャリア信号に対応する直流供給電圧を発生するようにされている整流器手段と、
受けた振幅変調キャリア信号を復調するためにその信号を入力することができ、整流器手段の支援により発生された直流供給電圧を第１の制限値に制限するようにされている電圧制限手段と、
伝送すべきデータを表すデータ信号を供給するようにされている振幅復調手段と、
直流供給電圧を受けるために配置されている電力供給入力を有し、振幅復調手段により供給されたデータ信号を処理するようにされているデータ処理手段とを備える回路において、
直流供給電圧を第１の制限値に制限する電圧制限手段の制限作用に関して、電圧制限手段は、制御信号により制御可能とされ、更に受けられた振幅変調されたキャリア信号における振幅の変化に対して、ある遅延をもって応答し、かつ、また、電圧制限手段は、整流器手段の支援により発生された直流供給電圧を第２の制限値に制限するようにされ、直流供給電圧をその第２の制限値に制限する電圧制限手段の制限作用は、受けられた振幅変調されたキャリア信号における振幅変化に対して、電圧制限手段が遅延なしに応答するようなものであり、電圧制限手段により達成できる第２の制限値は、電圧制限手段により達成できる第１の制限値より高いことを特徴とする回路。
【請求項１６】
請求の範囲１５記載の回路において、キャリア信号に対応する第１の制御信号を発生して、それを供給するようにされている第１の制御信号発生手段が設けられ、
第１の制御信号を遅延させるためにその信号を受けるように配置され、第１の制御信号発生手段の後段に設けられて、電圧制限手段が後段に続く遅延手段と、
直流供給電圧をその第１の制限値に制限するそれらの制限手段の制限作用に関して、電圧制限手段は、遅延手段により供給された遅延させられた第１の制御信号に依存するキャリア信号の振幅変化に対して、ある遅延をもって応答することを特徴とする回路。
【請求項１７】
請求の範囲１６記載の回路であって、直流供給電圧をその第１の制限値に制限する電圧制限手段は、抵抗値が第１の制御信号に依存して可変である１つの電子回路素子を含み、
１つの回路素子の抵抗値を制御するために、第１の制御信号発生手段により供給されて、遅延手段により遅延させられる第１の制御信号を１つの回路素子に入力させることができることを特徴とする回路。
【請求項１８】
請求の範囲１７記載の回路であって、１つの回路素子は、ＦＥＴにより構成されることを特徴とする回路。
【請求項１９】
請求の範囲１６記載の回路であって、直流供給電圧をその第１の制限値に制限する電圧制限手段は、電流吸収段を含み、その吸収電流がそれに入力された第１の制御信号に依存して可変であり、
電流吸収段の吸収電流を制御するために、第１の制御信号発生手段により供給されて、遅延手段により遅延させられる第１の制御信号を電流吸収段に入力させることができることを特徴とする回路。
【請求項２０】
請求の範囲１９記載の回路であって、電流吸収段は、ＦＥＴにより構成されることを特徴とする回路。
【請求項２１】
請求の範囲１６記載の回路であって、キャリア信号に対応する第２の制御信号を発生して、それを供給するようにされている第２の制御信号発生手段が設けられ、
第２の制御信号発生手段により発生されて供給される第２の制御信号を遅延なしに電圧制限手段に入力させることができ、
第２の制御信号発生手段により供給される第２の制御信号に依存して、直流供給電圧をその第２の制限値に制限するそれらの制限手段の制限作用に関して、電圧制限手段は、遅延なしでキャリア信号に応答することを特徴とする回路。
【請求項２２】
請求の範囲２１記載の回路であって、電圧制限手段は、直流供給電圧をその第２の制限値に制限するためのものとして第２の電子回路素子を含み、その第２の電子回路素子は、この素子に入力される第２の制御信号に依存して可変である抵抗値を有し、
第２の電子回路素子の抵抗値を制御するために、第２の制御信号発生手段により供給された第２の制御信号を第２の電子回路素子に入力させることを特徴とする回路。
【請求項２３】
請求の範囲２２記載の回路であって、第２の電子回路素子は、ＦＥＴにより構成されることを特徴とする回路。
【請求項２４】
請求の範囲１７記載の回路であって、キャリア信号に対応する第２の制御信号を発生して、それを供給するようにされている第２の制御信号発生手段が設けられ、
直流供給電圧をその第２の制限値に制限するために１つの回路素子の可変抵抗値を、それに入力された第２の制御信号に依存して変化でき、
１つの回路素子の抵抗値を制御するために、第２の制御信号発生手段により供給される第２の制御信号を回路素子に入力させることができ、その結果、１つの回路素子の抵抗値は、第１の制御信号と第２の制御信号とに依存して変化できることを特徴とする回路。
【請求項２５】
請求の範囲２４記載の回路であって、第１の制御信号発生手段と第２の制御信号発生手段とが整流器手段の後段に配置され、したがって、整流されたキャリア信号に対応する制御信号を発生し、かつ１つの回路素子の抵抗値を制御するためにそれらの信号をこの素子に供給することを特徴とする回路。
【請求項２６】
請求の範囲２５記載の回路であって、入力側が受信手段に接続され、出力側が１つの回路素子に接続されている追加の整流器手段が設けられ、
整流器手段の支援により発生された直流供給電圧を制限するために、受信手段により整流器手段に入力させられるキャリア信号の振幅を、追加の整流器手段を介した１つの回路素子の抵抗値変化により、１つの回路素子によって制御できることを特徴とする回路。
【請求項２７】
請求の範囲２５記載の回路であって、第１の制御信号発生手段と第２の制御信号発生手段とが後段に続く整流器手段は、１つのブリッジ整流器により構成されることを特徴とする回路。
【請求項２８】
請求の範囲２５記載の回路であって、直流供給電圧をその第２の制限値に制限するためのツェナーダイオードを含むことを特徴とする回路。
【発明の詳細な説明】
本発明は後述する手段、即ち、伝送すべきデータに依存して振幅変調された振幅変調キャリア信号を受けて供給するようにされている受信手段と、受けた振幅変調キャリア信号を整流するためにその信号を入力することができ、受けた振幅変調キャリア信号に対応する直流供給電圧を発生するようにされている整流器手段と、整流器手段の支援により発生された直流供給電圧を第１の制限値に制限するようにされている電圧制限手段と、受けた振幅変調キャリア信号を復調するためにその信号を入力することができ、伝送すべきデータを表すデータ信号を供給するようにされている振幅復調手段と、直流供給電圧を受けるために配置されている電力供給入力を有するデータ処理手段とを備えるデータキャリアに関するものである。
本発明は、後述する手段、すなわち、伝送すべきデータに依存して振幅変調され、受けられた振幅変調キャリア信号を、整流するために入力することができ、かつ受けた振幅変調キャリア信号に対応する直流供給電圧を発生するようにされている整流器手段と、受けた振幅変調キャリア信号を復調するためにその信号を入力することができ、伝送すべきデータを表すデータ信号を供給するようにされている振幅復調手段と、直流供給電圧を受けるために配置されている電力供給入力を有し、振幅復調手段により供給されたデータ信号を処理するようにされているデータ処理手段とを備える回路にも関するものである。
初めの段落で定めた種類のそのようなデータキャリア、および２番目の段落で定めた種類のそのような回路は、たとえば、文献ＷＯ９６／３８８１４Ａ２から知られている。そのようなデータキャリアは送受信部による無接触通信のために役立つ。送受信部からデータをそのようなデータキャリア（トランスポンダ）へ伝送するために、キャリア信号が送受信部で振幅変調される。その振幅変調は伝送すべきデータに依存して行われる。
少なくとも１つの送受信部と少なくとも１つのデータキャリアを備えるデータキャリア装置においては、キャリア信号の振幅変調を変調率１００％で実行することが知られている。そのような振幅変調の利点は、このために求められている振幅変調手段を、集積回路として簡単に実現できるという事実に本質的に存する。変調率１００％のそのような振幅変調の欠点は、この振幅変調が用いられるときに起きる側波帯信号が比較的高いレベルを有し、不法放射に関して国内法規に従う点で問題がしばしば生ずることである。
比較的高いレベルの側波帯信号の結果としての前記諸問題を避けるために、比較的低い変調率、たとえば、約１０％の変調率、で振幅変調することも知られている。
低い変調率のそのような振幅変調が用いられると、最初の段落で定めた種類のデータキャリアが、整流器手段に接続されて、受けた振幅変調されたキャリア信号から整流器手段の支援により得られた直流供給電圧を第１の制限値に制限する電圧制限手段が、受信手段により受けられた振幅変調されたキャリア信号中の振幅変調を無効にする。この結果として振幅変調は平坦にされる、という問題を望ましからずも有することになる。望ましくないことに、受けられた振幅変調されたキャリア信号の振幅復調手段による復調中に、変調率の低下に等しい振幅変調のこの平坦化によって問題が生ずることがあり、その結果として、伝送すべきデータを表し、かつ振幅復調手段により供給されたデータ信号中に誤差が生ずることがある。これは明らかに望ましくない。
本発明の目的は、受けられた振幅変調されたキャリア信号がかなり低い変調率で振幅変調されているものであって、最初の段落で定めた種類のデータキャリアと、第２の段落で定めた種類の回路とにより前記諸問題を除外し、改良されたデータキャリアおよび改良された回路を得ることである。
最初の段落で定めた種類のデータキャリアにおいてこの目的を達成するために、本発明は、直流供給電圧を第１の制限値に制限する電圧制限手段の制限作用について、電圧制限手段は、制御信号により制御可能であるようにされ、更に受けられた振幅変調されたキャリア信号における振幅の変化にある遅延をもって応答し、かつ、また、電圧制限手段は、整流器手段の支援で発生された直流供給電圧を第２の制限値に制限するようにされ、直流供給電圧をその第２の制限値に制限する電圧制限手段の制限作用は、受けられた振幅変調されたキャリア信号における振幅変化に対して、電圧制限手段が遅延なしに応答するようなものであり、電圧制限手段により達成できる第２の制限値は電圧制限手段により達成できる第１の制限値より高くなるようにする。
第２の段落で定めた種類の回路においてこの目的を達成するために、本発明は、直流供給電圧を第１の制限値に制限する電圧制限手段の制限作用について、電圧制限手段は、制御信号により制御可能であるようにされ、更に受けられた振幅変調されたキャリア信号における振幅の変化にある遅延をもって応答し、かつ、また、電圧制限手段は、整流器手段の支援で発生された直流供給電圧を第２の制限値に制限するようにされ、直流供給電圧をそれの第２の制限値に制限する電圧制限手段の制限作用は、受けられた振幅変調されたキャリア信号における振幅変化に対して、電圧制限手段が遅延なしに応答するようなものであり、電圧制限手段により達成できる第２の制限値は、電圧制限手段により達成できる第１の制限値より高くなるようにする。
本発明に従った方策を取ることにより、本発明のデータキャリアおよび本発明の回路の正常な動作中に、データ処理手段に対して許容できる値まで直流供給電圧を制限する電圧制限手段が、受けられた振幅変調されたキャリア信号における振幅の変化にある遅延をもって常に応答し、それにより、受けられた振幅変調されたキャリア信号における振幅の推移が、電圧制限手段により減少させられない、すなわち、平坦にさせられない、したがって、受けられた振幅変調されたキャリア信号の変調率が低くされないように、非常に簡単な方法で行う、非常に簡単に実現できる手段によって目的は達成される。更に、本発明の方策によって、本発明の回路を有する本発明のデータキャリアが、送受信部のいわゆる近くの場所に直接かつ突然に置かれる、すなわち、送受信部からわずかに数センチメートルの所に配置させられた場合に、整流器手段の支援により発生されて、データ処理手段に対して許容直流供給電圧に関して高すぎる直流供給電圧が、ここでは非常に迅速に応答する電圧制限手段によってデータ処理手段に対する安全値に制限されるようにして目的は達成される。これは、受けられた振幅変調されたキャリア信号の変調率が悪影響を受けず、その結果、実際に常にキャリア信号の正しい復調であり、したがって、誤差なしデータ信号が発生され、また、データ処理手段が過大な直流供給電圧に対して常に確実に保護されることを保証する。
請求の範囲２、３および４に記載の本発明のデータキャリアの有利な変更、および請求の範囲１６、１７、１８に記載の本発明の回路の有利な変更に関しては、それらの変更は、簡単かつ確実な実現のために有利であることが判明していることに注目すべきである。
請求の範囲５、６に記載の本発明のデータキャリアの有利な変更、および請求の範囲１９、２０に記載の本発明の回路の有利な変更に関しては、それらの変更は、正確かつ確実な実現をまた可能にすることに注目すべきである。
請求の範囲７、８および９に記載の本発明のデータキャリアの有利な変更、および請求の範囲２１、２２、２３に記載の本発明の回路の有利な変更に関しては、それらの変更は、簡単かつ確実な実現のために有利であることがまた判明していることに注目すべきである。
請求の範囲１０に記載の本発明の記録キャリアの有利な変更、および請求の範囲２４に記載の本発明の回路の有利な変更は、とくに簡単な回路設計であるという利点をまた有する。
第１の制御信号発生手段および第２の制御信号発生手段は、受信手段の後段に直接配置できる。しかし、請求の範囲１１に記載の方策が採用されるならば有利であることが判明した。
請求の範囲１１に記載のようなデータキャリアにおいては、請求の範囲１２または１３に記載の方策が、整流器手段の後段に配置されている記憶装置の容量が最小負荷であるという利点と、とくに簡単な回路設計をそれぞれ持っているために、加えて採用されるならば、とくに有利であることが判明している。
請求の範囲１４と２８に記載の方策もとくに簡単な回路設計のために有利であることが判明している。
本発明の前記態様およびその他の態様は以後に説明する実施例から明らかとなり、かつそれらの例を参照して明らかになるであろう。
以下、本発明がそれらに限定されることのない６つの実施例を示す図面を参照して本発明を一層詳細に説明する。
図１は、本発明の第１の実施例のデータキャリアをブロック図の形で線図的に示す。
図２は、図１のデータキャリアに現れる電圧を波形図の形で線図的に示す。
図３は、本発明の第２の実施例のデータキャリアを図１と同じようにして示す。
図４は、本発明の第３の実施例のデータキャリアを図１および図３と同じようにして示す。
図５は、本発明の第４の実施例のデータキャリアを図１、図３および図４と同じようにして示す。
図６は、本発明の第５の実施例のデータキャリアを図１、図３、図４および図５と同じようにして示す。
図７は、本発明の第６の実施例のデータキャリアを図１、図３、図４、図５および図６と同じようにして示す。
図１は、図１には示されていない送受信部との双方向非接触誘導通信を意図し、かつそのために製作されたデータキャリア１を示す。
このデータキャリア１は、振幅変調されたキャリア信号ＴＳを受け、かつ供給するようにされている受信手段２を含む。その信号はデータキャリアへ伝送すべきデータに依存して振幅変調されている。そうすると振幅変調されたキャリア信号ＴＳの変調率は１０％である。これは、たとえば、１ビットを伝送するために、キャリア信号ＴＳは一定の最大振幅（１００％）から一定の減少させられた振幅（９０％）まで変化させられることを意味する。このやり方は周知であるから、これ以上は説明しない。受信手段２は送信コイル３を含む。このコイルは、図示しない送信コイルにより送受信部に誘導結合できる。
整流器手段５は、導電接続４を介して受信手段２に接続されている。振幅変調されたキャリア信号ＴＳは、整流するために整流器手段５に入力できる。整流器手段５は、受けられた振幅変調されたキャリア信号ＴＳに対応する直流供給電圧Ｖを発生するように機能する。整流器手段５は、第１の整流器段６と第２の整流器段７を有する。２つの整流器段６、７は、おのおのブリッジ整流器により構成できる。２つの整流器段は、他の方法で実現することもできる。
電圧制限手段８は、整流器手段５に接続されている。電圧制限手段８は、必要があれば、整流器手段５の支援により発生された直流供給電圧Ｖを第１の制限値ＵＬ１（図２参照）に制限する。直流供給電圧Ｖを第１の制限値ＵＬ１に制限するために、電圧制限手段８は、第１の整流器段６の出力端子に接続されている導電性接続線１０と基準電位、すなわち、アース、との間に設けられている第１の電圧制限段９を有する。第１の電圧制限段９の後段にキャパシタ１１が続いている。このキャパシタは平滑のためおよび充電のためのものであって、接続線１０に接続されている。直流供給電圧Ｖをデータキャリア１の回路素子のうち、動作のためにその直流供給電圧Ｖを必要とする回路素子に供給するために、そのキャパシタから直流供給電圧Ｖを取り出すことができる。
データキャリア１はクロック信号発生手段１２も含む。このクロック信号発生手段１２は、接続線４を介して受信手段２に接続されている。受けられた振幅変調されたキャリア信号ＴＳは、接続線４を介してクロック信号発生手段１２に加えることもできる。クロック信号発生手段１２は、クロック信号ＣＬＫを、受けられた振幅変調されたキャリア信号ＴＳから再生できるようにする。
データキャリア１は振幅復調手段１３も含む。この振幅復調手段１３は、接続線４を介して受信手段２に接続されている。したがって、受けられた振幅変調されたキャリア信号ＴＳを、復調するために振幅復調手段１３に入力することができる。更に、再生されたクロック信号ＣＬＫは、クロック信号発生手段１２から導電性接続線１４を介して振幅復調手段１３に入力することができる。クロック信号ＣＬＫの支援により、振幅復調手段１３は、受けられた振幅変調されたキャリア信号ＴＳを復調でき、したがって、復調操作の後で振幅復調手段１３は、送信すべきデータを表すデータ信号ＤＳを供給する。
データキャリア１はデータ処理手段１５も含む。このデータ処理手段は、基本的にはマイクロコンピュータにより構成されている。データ処理手段１５は、振幅復調手段１３により供給されたデータ信号ＤＳを処理するようにされている。また、データ処理手段１５は、いくつかの別の動作とプロセスを実行するようにもされている。それらの動作やプロセスは本発明には関連しないので、ここでは説明しない。
前記したように、データ処理手段１５は、振幅復調手段１３により供給されたデータ信号ＤＳを処理するようにされている。そのようなデータ信号を処理するために、データ処理手段１５は、再生されたクロック信号ＣＬＫも要する。その理由で、このクロック信号ＣＬＫは、クロック信号発生手段１２からデータ処理手段１５に入力される。
データ処理手段１５は、記憶手段１６に記憶されている処理されたデータ信号ＭＤＳを記憶手段１６から読出しできるようにし、かつ後で送受信部へ送信するためにデータ処理手段１５により処理できるようにする。それらのデータ信号ＤＳの送信のために、それらのデータ信号ＤＳに依存して変調する必要がある。そのために、データキャリア１は変調手段１８を有する。この変調手段１８は導電性接続線１９を介してデータ処理手段１５に接続され、かつ接続線４を介して受信手段２に接続されている。その理由は、受信手段２が、変調手段１８によりデータ信号ＤＳに依存して変調された信号を送受信部へ送信可能にする送信手段としても構成されているからである。変調手段１８は、たとえば負荷変調を加えることを可能にする。
図１から明らかなように、クロック信号発生手段１２と、振幅復調手段１３と、データ処理手段１５と、記憶手段１６と、変調手段１８とのおのおのは電力供給入力２０、２１、２２、２３、２４をそれぞれ有する。それらの電力供給入力２０〜２４のおのおのに直流供給電圧Ｖを加えることができる。その電圧は整流器手段５の支援により発生されたものであって、必要があれば、電圧制限手段８の支援により制限される。
図１のデータキャリア１の有利な特徴は、直流供給電圧Ｖをその第１の制限値ＵＬ１に制限するその制限作用に関して、制御信号Ｓ１により制御可能であるようにされていることである。いいかえると、それは第１の電圧制限段９が制御信号Ｓ１により制御可能であることを意味する。図１のデータキャリア１の別の有利な特徴は、直流供給電圧Ｖをその第１の制限値ＵＬ１に制限するその制限作用に関して、電圧制限手段８が、受けられた振幅変調されたキャリア信号ＴＳにおける振幅変化に対して、ある遅れで応答することである。これは、いいかえると、第１の電圧制限段９が、受けられた振幅変調されたキャリア信号ＴＳにおける振幅変化に対して、ある遅れで応答することを意味する。
図１のデータキャリア１の別の有利な特徴は、整流器手段５の支援で発生された直流供給電圧Ｖを、必要があると、第２の制限値ＵＬ２（図２参照）に制限するようにもされていることである。直流供給電圧Ｖを第２の制限値ＵＬ２に制限する電圧制限手段の制限作用は、受けられた振幅変調されたキャリア信号ＴＳにおける振幅変化に遅延なしで応答するものである。
図２からとくに明らかなように、設計は、電圧制限手段８により得られる第２の制限値ＵＬ２が、電圧制限手段８により得られる第２の制限値ＵＬ１より高いものである。
整流器手段５の支援により、すなわち、第２の整流器段７の支援により発生された直流供給電圧Ｖを第２の制限値ＵＬ２に制限するために、図１に示されているデータキャリア１の電圧制限手段８は、第２の整流器段７の出力端子に接続されている導電性接続線２６とアースとの間に配置されている第２の電圧制限段２５を有する。同様に、第１の電圧制限段９が接続されている導電性接続線１０と、第２の電圧制限段２５が接続されている導電性接続線２６とに、キャパシタ１１が接続されている。
図１に示されているデータキャリア１は、受けられた振幅変調されたキャリア信号ＴＳに対応する第１の制御信号Ｓ１を発生し、かつそれを供給するようにされている第１の制御信号発生手段２７を有する。第１の制御信号発生手段２７は整流器手段５の後段、すなわち、整流器手段５の第１の整流器段６の後段に配置されている。したがって、第１の制御信号発生手段２７は、整流されたキャリア信号に対応する第１の制御信号Ｓ１を発生する。第１の整流器段６によるキャリア信号ＴＳの整流により発生された直流電圧は、第１の整流器段６に接続されている第１の制御信号発生手段２７の入力を介してそれらの手段に入力されて、第１の制御信号Ｓ１を形成するばかりでなく、第１の制御信号発生手段２７に電力を供給する。
図１に示されているデータキャリア１は、第１の制御信号発生手段２７の後段に遅延手段２８をも含む。第１の制御信号発生手段２７により発生された第１の制御信号Ｓ１を遅延させるために、その信号を遅延手段２８に入力することができる。遅延手段２８の後段に電圧制限手段８、すなわち、電圧制限手段８の第１の電圧制限段９が続く。直流供給電圧Ｖを第１の制限値ＵＬ１に制限するそれらの電圧制限手段の制限作用に関しては、電圧制限手段８、すなわち、第１の電圧制限段９は、受けられた振幅変調されたキャリア信号ＴＳの振幅変化に、遅延手段２８により供給された遅延された第１の制御信号Ｓ１に依存する遅延で応答する。
図１に示されているデータキャリア１は、受けられた振幅変調されたキャリア信号ＴＳに対応する第２の制御信号Ｓ２を発生し、かつそれを供給するようにされている第２の制御信号発生手段２９も含む。第２の制御信号発生手段２９も整流器手段５の後段、すなわち、この場合には第２の整流器段７の後段に配置されている。したがって、第２の整流器段７によるキャリア信号ＴＳの整流により発生された直流電圧は、第２の制御信号発生手段２９に電力を供給するため、および第２の制御信号Ｓ２を発生するために、第２の制御信号発生手段２９に加えられる。したがって、第２の制御信号発生手段２９は、整流されたキャリア信号に対応する第２の制御信号Ｓ２を発生する。
第２の制御信号発生手段２９により発生されて供給された第２の制御信号Ｓ２は、電圧制限手段８に、すなわち、この場合には電圧制限手段８の第２の電圧制限段２５に、遅延なしに入力させることができる。直流供給電圧Ｖを第２の制限信号ＵＬ２に制限するそれらの電圧制限手段の制限作用に関しては、電圧制限手段８、すなわち第２の電圧制限段２５は、制御信号発生手段２９により供給された第２の制御信号Ｓ２に依存する、受けられた振幅変調されたキャリア信号ＴＳの振幅変化に遅延なしで応答する。
図１に示されているデータキャリア１の動作の関連する部分について、以下に説明する。
図１に示されているデータキャリア１が送受信部との通信に入ると、データキャリア１と送受信部との間の距離に関してこれを種々の方法で行うことができる。通信動作中は、データキャリア１は、たとえば、送受信部から比較的大きな距離に位置することができる。これはいわゆる送受信部の遠隔配置としばしば呼ばれている。そうするとデータキャリア１と送受信部との間の距離をたとえば１メートルとすることができる。送受信部により送信されたキャリア信号ＴＳは、データキャリア１の受信手段２により比較的低いレベルで受信される。その結果、電圧制限手段８は起動させられず、そのために、受けられた振幅変調されたキャリア信号ＴＳには悪影響を及ぼさない。
しかし、送受信部とのデータ通信中は、この部分のいわゆる近い場所、すなわち、この部分から僅かに数センチメートルの距離の所に位置することもある。この場合には、データキャリア１の受信手段２により受けられた振幅変調されたキャリア信号は比較的高いレベルを持つ。電圧制限手段８が設けられていなかった場合には、そのレベルは、図２に示されているように、第１の整流器段６が値ＵＬ１の直流電圧を供給し、第２の整流器段７が値ＵＬ１に一致することが好ましい値ＵＬ２の直流電圧を供給する結果となるものである。しかし、電圧制限手段８は、２つの整流器段６と７により供給された直流電圧を制限し、遅延なしに応答する第２の電圧制限段２５は、直流供給電圧Ｖを第２の制限値ＵＬ２に最初に制限する。その後で、遅延手段２８の作用の結果として、遅延して応答する第１の整流器段９は次第に動作し、図２からわかるように、回路部１２、１３、１５、１６および１８に電力を供給するために求められる第１の制限値ＵＬ１に直流供給電圧Ｖを制限する。
このように、有利に設計されている電圧制限手段８の支援により、図１に示されているデータキャリア１により、直流供給電圧Ｖが回路部の望ましくない電圧過負荷を加えることができない電圧範囲まで、直流供給電圧Ｖが確実に制限されることが、簡単な方法で保証される。更に、電圧制限手段８の有利な設計が、それらの手段の遅延させられた動作の結果として、電圧制限手段８は、約１０％の変調率で振幅変調されている受けられたキャリア信号ＴＳに対して平坦にする作用をもたない。
図３は、図１のデータキャリアとほぼ同じ回路構成を有するデータキャリア１を示す。この理由から、図３のデータキャリア１のうち、直流供給電圧Ｖの発生に含まれている部分のみを示している。
図３に示されているデータキャリア１では、電圧制限手段８は、直流供給電圧Ｖをその第１の制限値ＵＬ１に制限するための第１の電圧制限段９として第１の電子回路素子３０を有する。この回路素子の抵抗値は、この素子に入力される第１の制御信号Ｓ１に依存して可変である。第１の電子回路素子３０はＦＥＴにより構成されている。
電圧制限手段８は、直流供給電圧Ｖをその第２の制限値ＵＬ２に制限するための第２の電圧制限段２５として第２の電子回路素子３１を有する。この回路素子の抵抗値は、この素子に入力される第２の制御信号Ｓ２に依存して可変である。第２の電子回路素子３１もＦＥＴにより構成されている。
図３に示されているデータキャリア１では、第１の制御信号発生手段２７により供給され、遅延手段２８により遅延させられる第１の制御信号Ｓ１は、第１の回路素子３０の抵抗値を制御するために第１の回路素子３０に入力することができる。第２の制御信号発生手段２９により供給される第２の制御信号Ｓ２は、第２の回路素子３１の抵抗値を制御するために第２の回路素子３１に入力することができる。
図３に示されているデータキャリア１における遅延手段２８が、抵抗３２とキャパシタ３３とを含むいわゆるＲＣ素子によって構成されることには、留意しておくべきである。
図４は、第２の制御信号発生手段２９により発生された第２の制御信号Ｓ２により制御可能である第２の電圧制限段２５の代わりに、直流供給電圧Ｖを第２の制限値ＵＬ２に制限するために、１つのツェナーダイオード３４により構成されている第２の電圧制限段２５を有するのみであるデータキャリア１を示す。
図５に示されているデータキャリア１に関しては、このデータキャリア１により直流供給電圧Ｖをその第１の制限値ＵＬ１に制限するための電圧制限手段８は、第１の電圧制限段９として、第１の電子回路素子３０、すなわち、ＦＥＴの代わりに、電流吸収段３５を有する。その吸収電流Ｉはそれに入力される第１の制御信号Ｓ１に依存して可変である。ここでは、電流吸収段３５はそれ自体知られているＦＥＴ電流ミラー回路により構成されるために、これ以上の説明は不要である。図５に示されているデータキャリア１では、第１の制御信号発生手段２７により供給され、遅延手段２８により遅延させられた第１の制御信号Ｓ１は、電流吸収段３５の吸収電流Ｉを制御するために電流吸収段３５に入力することができる。この制御信号は、分離段３６を介して入力される。これにより、遅延手段のキャパシタ３３の充電が制御可能な電流吸収段３５を介して望ましくない態様で影響を受け得ないようにされる。
図６は、整流器手段５が１つのブリッジ整流器３７により構成されているデータキャリア１を示す。第１の制御信号発生手段２７と第２の制御信号発生手段２９とは、このブリッジ整流器３７の後段に設けられているために、ブリッジ整流器３７の出力端子に接続されている導電性接続線３８に接続されている。第１の制御信号発生手段２７は遅延手段２８を介して、および第２の制御信号発生手段２９は直接、この場合には、電圧制限手段８の１つの電子回路素子３９の制御入力に接続されている。その素子の抵抗値は２つの制御信号Ｓ１とＳ２に依存して可変であり、その抵抗値を変化するために２つの制御信号Ｓ１とＳ２を受けるように構成されている。したがって、電子回路素子３９は、電圧制限手段８の第１の電圧制限段と第２の電圧制限段とを構成している。データキャリア１は、電圧制限手段８が１つの電子回路素子３９により実現されるという特別な利点を有する。ブリッジ整流器３７の代わりに、図６に示されているデータキャリア１は、整流器手段５のための他の回路装置を含むことができる。
図７は、図６に示されているデータキャリア１の回路構成に概略一致する回路構成を有するデータキャリア１を示す。図１のデータキャリア１との違いは、図７に示されているデータキャリア１では回路構成に電子回路素子３９を含んでいること、したがって、電子回路素子３９の動作である。
図７に示されているデータキャリア１は、２個のダイオード４１と４２により構成されている追加の整流器手段４０を有する。それらのダイオードのアノードが追加の整流器手段４０の入力を構成し、かつ共通に接続されているカソードは追加の整流器手段４０の出力を構成している。追加の整流器手段４０は、その入力側で受信手段２に接続されている。追加の整流器手段４０は、その出力側で電圧制限手段８の電子回路素子３９に接続されている。整流器手段５の支援により発生された直流供給電圧Ｖを制限するために、図７に示されているデータキャリア１では、受信手段２により整流器手段５に入力されるキャリア信号ＴＳの振幅は、１つの電子回路素子３９の抵抗値の、追加の整流器手段４０を介する変化によって、１つの電子回路素子３９により影響を及ぼすことができる。
図６に示されているデータキャリア１では、回路素子３９は、整流器手段５により供給された直流供給電圧Ｖに直接作用を及ぼし、必要があれば、その電圧を制限するために、図７に示されているデータキャリア１における直流供給電圧Ｖは追加の整流器手段４０を介して間接的に制限される。図７に示されているデータキャリア１の設計の利点は、記憶目的のために設けられているキャパシタ１１に回路素子３９が直接接続されていない回路形態である。それは、キャパシタ１１が回路素子３９により直接負荷をかけられず、したがって、キャパシタ１１の回路素子３９を介する意図しない放電を避けるという利点をもたらす。
図３、４、５、６および７に示されているデータキャリア１は図１に示されているデータキャリア１を参照して述べた利点も有する。
本発明は例として前記した実施例に限定されるものではない。電圧制限手段と、遅延手段と、制御信号発生手段との実現のために、それぞれの技術状態によって幾つかの可能性が提供される。
【図１】
0004212659.tif 000002
【図２】
0004212659.tif 000003
【図３】
0004212659.tif 000004
【図４】
0004212659.tif 000005
【図５】
0004212659.tif 000006
【図６】
0004212659.tif 000007
【図７】
0004212659.tif 000008